(57)【要約】【課題】Ｃｅｌｌ  ＩＤなどの位置情報をＥＰＣ網からＩＭＳ基盤に提供する移動通信方法及びポリシー制御ノードを提供すること。【解決手段】本発明の移動通信方法においては、移動管理ノードＭＭＥを介してベアラを確立し、移動端末ＵＥの位置情報を無線基地局ｅＮｏｄｅＢ又は移動管理ノードＭＭＥから取得してポリシー制御ノードＰＣＲＦに送信し、ポリシー制御ノードＰＣＲＦから位置情報を呼制御ノードＰ−ＣＳＣＦに送信することを特徴とする。【選択図】図４
2012044556.tif 000002
【特許請求の範囲】
【請求項１】
移動管理ノードを介してベアラを確立する工程と、前記移動端末の位置情報を前記無線基地局又は前記移動管理ノードから取得してポリシー制御ノードに送信する工程と、前記ポリシー制御ノードから前記位置情報を呼制御ノードに送信する工程と、を具備することを特徴とする移動通信方法。
【請求項２】
Diameter  Base  ProtocolのＲＡＡ信号で前記位置情報を前記ポリシー制御ノードに送信し、Diameter  Base  ProtocolのＲＡＲ信号で前記位置情報を呼制御ノードに送信することを特徴とする請求項１記載の移動通信方法。
【請求項３】
前記呼制御ノードが、Diameter  Base  ProtocolのＡＡＲ信号をポリシー制御ノードに送信する工程と、前記ポリシー制御ノードが、前記ＡＡＲ信号に対するDiameter  Base  ProtocolのＡＡＡ信号を前記呼制御ノードに送信する工程と、を具備することを特徴とする請求項１又は請求項２記載の移動通信方法。
【請求項４】
前記呼制御ノードが、前記ＡＡＲ信号と共に前記位置情報の取得要求信号を前記ポリシー制御ノードに送信することを特徴とする請求項３記載の移動通信方法。
【請求項５】
前記ポリシー制御ノードが、Diameter  Base  ProtocolのＲＡＲ信号で前記取得要求信号をゲートウェイ装置に送信することを特徴とする請求項４記載の移動通信方法。
【請求項６】
緊急通報の場合において、音声用ベアラを設定する前に、前記呼制御ノードが前記移動端末の位置情報を取得することを特徴とする請求項１から請求項５のいずれかに記載の移動通信方法。
【請求項７】
前記位置情報が、前記移動端末の在圏Ｃｅｌｌ  ＩＤ、エリアコード、又はTracking  Area  ＩＤであることを特徴とする請求項１から請求項６のいずれかに記載の移動通信方法。
【請求項８】
移動端末の位置情報を保持するポリシー制御ノードであって、移動管理ノードを介してベアラが確立された後に、前記無線基地局又は前記移動管理ノードから取得された前記位置情報を保持し、前記位置情報を呼制御ノードに送信することを特徴とするポリシー制御ノード。
【請求項９】
Diameter  Base  ProtocolのＲＡＡ信号で送信された前記位置情報をDiameter  Base  ProtocolのＲＡＲ信号で前記呼制御ノードに送信することを特徴とする請求項８記載のポリシー制御ノード。
【請求項１０】
前記呼制御ノードから送信されたDiameter  Base  ProtocolのＡＡＲ信号に対するDiameter  Base  ProtocolのＡＡＡ信号を前記呼制御ノードに送信することを特徴とする請求項８又は請求項９記載のポリシー制御ノード。
【請求項１１】
前記呼制御ノードから前記ＡＡＲ信号と共に送信された前記位置情報の取得要求信号を、Diameter  Base  ProtocolのＲＡＲ信号をゲートウェイ装置に送信することを特徴とする請求項１０記載のポリシー制御ノード。
【請求項１２】
前記位置情報が、前記移動端末の在圏Ｃｅｌｌ  ＩＤ、エリアコード、又はTracking  Area  ＩＤであることを特徴とする請求項８から請求項１１のいずれかに記載のポリシー制御ノード。
【発明の詳細な説明】
【技術分野】
【０００１】
本発明は、Ｃｅｌｌ  ＩＤなどの情報をＥＰＣ網からＩＭＳ基盤に提供する移動通信方法及びポリシー制御ノードに関する。
【背景技術】
【０００２】
ＩＭＳ（IP  Multimedia  Subsystem）は、ＩＰベースのマルチメディア通信サービスを提供することを目的として３ＧＰＰ（3rd  Generation  Partnership  Project）国際標準として既定されている。ＩＭＳとは、アクセス網に依存しないＩＰで通信するコアネットワークの概念である。各アクセス網をＩＰ−ＣＡＮと呼び、複数のＩＰ−ＣＡＮをシームレスに収容することを可能とする。ＩＭＳにおいては、アクセス網に依存しないため、異なるアクセス網で共通のネットワークサービス（例えば、留守番電話、キャッチホン、転送サービスなど）を提供することが可能となる。このＩＭＳを利用した移動通信システムが、非特許文献１に規定されている。
【０００３】
図１は、ＩＭＳにおいてアクセス網がＬＴＥ（Long  Term  Evolution）網である場合のネットワークアーキテクチャを示す図である。３ＧＰＰ国際標準では、ＩＰ移動伝達ネットワークをＥＰＣ（Evolved  Packet  Core）網として規定し、サービス制御ネットワークをＩＭＳとして規定している。ＬＴＥアクセスシステムにおいては、その基地局であるｅＮｏｄｅＢをＭＭＥ（Mobility  Management  Entity）とＳ−ＧＷ（Serving-Gateway）により収容する。ＭＭＥは、ＬＴＥアクセスシステムの無線ゾーンに在圏する移動端末ＵＥ（User  Equipment）とインタフェースを持ち、移動端末ＵＥの移動管理、移動端末の認証及び移動端末とのＩＰ伝達経路の設定制御を行う。Ｓ−ＧＷは、ＭＭＥの指令に基づいてＩＰパケットの伝達制御を行う。
【０００４】
また、ＥＰＣ網においては、Ｐ−ＧＷ（PDN(Packet  Data  Network)-Gateway）及びＰＣＲＦ（Policy  and  Charging  Rules  Function）が設定される。Ｐ−ＧＷは、インターネット、ＩＭＳなどのＰＤＮとの接続点があり、ＰＤＮから移動端末ＵＥへのＩＰパケットをすべて受ける。ＰＣＲＦは、Ｐ−ＧＷ、Ｓ−ＧＷでの伝達品質制御を行うための、ＱｏＳ（Quality  of  Service）、課金方法などのＩＰパケット伝達ポリシーを決定する。
【０００５】
ＩＭＳは、主にセッション制御機能（ＣＳＣＦ）、アプリケーションサービス制御機能（ＡＳ）を含む。また、ＩＭＳは、ユーザ情報蓄積機能（ＨＳＳ）を含む。
【０００６】
ＣＳＣＦ（Call  Session  Control  Function）は、サービス制御ネットワークの制御の核であるセッション制御を行う機能であり、移動端末間の通信セッションの設定、解放や、サービス条件にしたがってＡＳを選択して、セッション制御プロトコルであるＳＩＰ（Session  Initiation  Protocol）信号を転送する。ＣＳＣＦは、Ｐ−ＣＳＣＦ（Proxy-CSCF）、Ｓ−ＣＳＣＦ（Serving-CSCF）、Ｉ−ＣＳＣＦ（Interogating-CSCF）の３つの機能要素に分けられる。
【０００７】
ＡＳ（Application  Server）は、移動端末と連携して、各アプリケーションサービスの共通基本制御又は全般の制御を行う。ＨＳＳ（Home  Subscriber  Server）は、サービス制御ネットワークにアクセスする移動端末のユーザ情報を扱うデータベースである。なお、図１において、破線はＣ−Ｐｌａｎｅ（ユーザデータ）を示し、実線はＵ−Ｐｌａｎｅ（制御信号）を示す。
【０００８】
一方、非特許文献１においては、Ｃｅｌｌ  ＩＤなどの位置情報が規定されている。Ｃｅｌｌ  ＩＤとは、１台の無線基地局のカバレッジエリアをさらに細分化したエリアの識別子であり、ＬＴＥにおいてはＥ−ＣＧＩ（Enhanced  Cell  Global  Identity）として規定されている。また、位置情報としてはエリアコードやTracking  Area  ＩＤがあり、このエリアコードは、ＭＭＥかｅＮｏｄｅＢに保持され、Tracking  Area  ＩＤはＭＭＥに保持される。
【先行技術文献】
【非特許文献】
【０００９】
【非特許文献１】３ＧＰＰ  ＴＳ２３．００３
【発明の概要】
【発明が解決しようとする課題】
【００１０】
図２は、ＬＴＥアクセスシステムからのアタッチ制御について説明するためのシーケンス図である。まず、移動端末ＵＥは、ｅＮｏｄｅＢを介してＭＭＥに対して接続要求を行う。このとき、ｅＮｏｄｅＢはＣｅｌｌ  ＩＤをＭＭＥに送る。その後、移動端末ＵＥは、認証・秘匿などのセキュリティ手順を実施する。その後、ＭＭＥが位置登録要求メッセージをＨＳＳに送信する。また、ＭＭＥは、Ｓ−ＧＷ、Ｐ−ＧＷに対してセッション生成要求を行う。このとき、ＭＭＥは、Ｃｅｌｌ  ＩＤをＳ−ＧＷに送る。その後、Ｐ−ＧＷとＰＣＲＦとの間でセッションが確立されると、Ｃｅｌｌ  ＩＤがＰ−ＧＷを介してＰＣＲＦに送られる。このように、アタッチ制御により、図１に示すように、Ｃｅｌｌ  ＩＤは、ＭＭＥ、Ｓ−ＧＷ、ＰＣＲＦで保持される。
【００１１】
現状の３ＧＰＰ国際標準におけるＩＭＳの仕様では、ＩＭＳは、移動端末からＣｅｌｌ  ＩＤを取得することができるが、アクセス網から取得することができない。しかしながら、改ざんなどのセキュリティ観点からアクセス網から移動端末の在圏Ｃｅｌｌ  ＩＤを取得できるようにすることが望ましい。また、信用できるＣｅｌｌ  ＩＤの代表的な利用用途として、課金の際の信用できる要素、通信傍受の際の位置特定要素、緊急呼発信の際の適切な接続先の特定のための要素、その他ＩＭＳサービス提供の際の要素がある。この観点からも、アクセス網から移動端末の在圏Ｃｅｌｌ  ＩＤを取得できるようにすることが望ましい。
【００１２】
本発明はかかる点に鑑みてなされたものであり、Ｃｅｌｌ  ＩＤなどの位置情報をＥＰＣ網からＩＭＳ基盤に提供する移動通信方法及びポリシー制御ノードを提供することを目的とする。
【課題を解決するための手段】
【００１３】
本発明の移動通信方法は、移動管理ノードを介してベアラを確立する工程と、前記移動端末の位置情報を前記無線基地局又は前記移動管理ノードから取得してポリシー制御ノードに送信する工程と、前記ポリシー制御ノードから前記位置情報を呼制御ノードに送信する工程と、を具備することを特徴とする。
【００１４】
本発明のポリシー制御ノードは、移動端末の位置情報を保持するポリシー制御ノードであって、移動管理ノードを介してベアラが確立された後に、前記無線基地局又は前記移動管理ノードから取得された前記位置情報を保持し、前記位置情報を呼制御ノードに送信することを特徴とする。
【発明の効果】
【００１５】
本発明によれば、ベアラを確立する際に取得する、発着信した際にユーザが在圏している最新の位置情報を通知するので、ＩＭＳ基盤では、最新の位置情報を取得することができ、信頼性の高い位置情報をＩＭＳにて扱うことが可能となる。
【図面の簡単な説明】
【００１６】
【図１】ＩＭＳにおいてアクセス網がＬＴＥ網である場合のネットワークアーキテクチャを示す図である。
【図２】ＬＴＥアクセスシステムからのアタッチ制御について説明するためのシーケンス図である。
【図３】本発明の移動通信方法を説明するための図である。
【図４】本発明の移動通信方法に係るＰＭＩＰシーケンス（Ｃｅｌｌ  ＩＤ取得）を示す図である。
【図５】本発明の移動通信方法に係るＧＴＰシーケンス（Ｃｅｌｌ  ＩＤ取得）を示す図である。
【図６】本発明の移動通信方法に係る、Ｐ−ＣＳＣＦから取得要求するＰＭＩＰシーケンス（Ｃｅｌｌ  ＩＤ取得）を示す図である。
【図７】本発明の移動通信方法に係る、Ｐ−ＣＳＣＦから取得要求するＧＴＰシーケンス（Ｃｅｌｌ  ＩＤ取得）を示す図である。
【図８】本発明の移動通信方法に係るＰＭＩＰシーケンス（エリアコード取得）を示す図である。
【図９】本発明の移動通信方法に係る、Ｐ−ＣＳＣＦから取得要求するＰＭＩＰシーケンス（エリアコード取得）を示す図である。
【図１０】本発明の移動通信方法に係るＰＭＩＰシーケンス（Tracking  Area  ＩＤ取得）を示す図である。
【図１１】本発明の移動通信方法に係る、Ｐ−ＣＳＣＦから取得要求するＰＭＩＰシーケンス（Tracking  Area  ＩＤ取得）を示す図である。
【発明を実施するための形態】
【００１７】
以下、本発明の実施の形態について、添付図面を参照して詳細に説明する。
図１は、本発明の実施の形態に係る、ＩＭＳにおいてアクセス網がＬＴＥ網である場合のネットワークアーキテクチャを示す図である。上述したように、３ＧＰＰ国際標準では、ＩＰ移動伝達ネットワークをＥＰＣ網として規定し、サービス制御ネットワークをＩＭＳとして規定している。ＬＴＥアクセスシステムにおいては、その基地局であるｅＮｏｄｅＢをＭＭＥとＳ−ＧＷにより収容する。
【００１８】
移動管理ノードＭＭＥは、ＬＴＥアクセスシステムの無線ゾーンに在圏する移動端末ＵＥとインタフェースを持ち、移動端末ＵＥの移動管理、移動端末の認証及び移動端末とのＩＰ伝達経路の設定制御を行う。ＭＭＥは、移動端末ＵＥの移動管理及び認証をＨＳＳと連携して行う。また、ＭＭＥは、移動端末ＵＥが送受信するＩＰパケットの伝達経路の設定をＳ−ＧＷとｅＮｏｄｅＢに対して行う。
【００１９】
ゲートウェイ装置Ｓ−ＧＷは、ＭＭＥの指令に基づいてＩＰパケットの伝達制御を行う。Ｓ−ＧＷは、ＩＰパケットを伝達する際に、ＰＣＲＦから通知されたＱｏＳ情報にしたがってＩＰパケットの伝達品質制御を行う。
【００２０】
また、ＥＰＣ網においては、Ｐ−ＧＷ及びＰＣＲＦが設定される。Ｐ−ＧＷは、インターネット、ＩＭＳなどのＰＤＮとの接続点があり、ＰＤＮから移動端末ＵＥへのＩＰパケットをすべて受ける。Ｐ−ＧＷは、受信した移動端末ＵＥへのＩＰパケットをＳ−ＧＷなどに伝達する。また、ゲートウェイ装置Ｐ−ＧＷは、ＩＰパケットを伝達する際に、ＰＣＲＦから通知されたＱｏＳ情報にしたがってＩＰパケットの伝達品質制御を行う。
【００２１】
ポリシー制御ノードＰＣＲＦは、Ｐ−ＧＷ、Ｓ−ＧＷでの伝達品質制御を行うための、ＱｏＳ（Quality  of  Service）、課金方法などのＩＰパケット伝達ポリシーを決定する。ＩＰパケット伝達ポリシーは、ＩＭＳから通知される、移動端末ＵＥから要求されたサービスアプリケーションの情報、ユーザのサービス契約情報などから決定する。
【００２２】
ＩＭＳは、主にセッション制御機能（ＣＳＣＦ）、アプリケーションサービス制御機能（ＡＳ）を含む。また、ＩＭＳは、ユーザ情報蓄積機能（ＨＳＳ）を含む。
【００２３】
呼制御ノードＣＳＣＦは、サービス制御ネットワークの制御の核であるセッション制御を行う機能であり、移動端末間の通信セッションの設定、解放や、サービス条件にしたがってＡＳを選択して、セッション制御プロトコルであるＳＩＰ信号を転送する。呼制御ノードＣＳＣＦは、Ｐ−ＣＳＣＦ、Ｓ−ＣＳＣＦ、Ｉ−ＣＳＣＦの３つの機能要素に分けられる。また、呼制御ノードＣＳＣＦには、Ｅ−ＣＳＣＦも含まれる。
【００２４】
Ｐ−ＣＳＣＦは、ＩＰ移動伝達ネットワークとの接続点に配備され、ＩＰ移動伝達ネットワークのＰ−ＧＷと接続し、Ｓ−ＣＳＣＦ及びＩ−ＣＳＣＦと移動端末ＵＥとの間のＳＩＰ信号を中継する。Ｐ−ＣＳＣＦは、移動端末ＵＥから送られてくるＳＩＰ信号の正当性確認を行い、セッション制御に必要な情報（課金情報など）をＳ−ＣＳＣＦ向けに付加する。逆に、移動端末ＵＥ向けに送信すべきでない情報（番号非通知で着信した場合の発信者ＩＤなど）を削除する。また、Ｐ−ＣＳＣＦは、ＩＭＳでＱｏＳ制御を行うために必要なアプリケーション種別情報をＰＣＲＦに通知する。
【００２５】
Ｓ−ＣＳＣＦは、ＨＳＳから得たユーザ情報を用いてセッション制御や認証を行う。また、Ｓ−ＣＳＣＦは、移動端末ＵＥからセッション起動信号を受信したときに、イニシャルフィルタクライテリアの情報にしたがって、サービスに応じたＡＳを選択し、ＳＩＰ信号を中継する。
【００２６】
Ｉ−ＣＳＣＦは、ＩＭＳの関門として、他ネットワークからＳ−ＣＳＣＦを隠蔽し、他ネットワークとＳ−ＣＳＣＦとの間でＳＩＰ信号を中継する。Ｉ−ＣＳＣＦは、ＩＭＳへの登録やセッション制御時に、ＨＳＳのユーザ情報にしたがってＳ−ＣＳＣＦを選択する。
【００２７】
Ｅ−ＣＳＣＦ（Emergency-CSCF）は、移動端末の位置情報取得、並びに、位置情報に応じた適切な緊急通報台の選択などを実施する。
【００２８】
アプリケーションサーバＡＳは、移動端末と連携して、各アプリケーションサービスの共通基本制御又は全般の制御を行う。具体的には、Ｓ−ＣＳＣＦが移動端末ＵＥとの間のＳＩＰ信号をＡＳに中継し、ＡＳがサービス制御を行う。また、ＡＳは、ＨＳＳからアプリケーションサービスに関するユーザ情報を取得し、そのアプリケーションのための認証、認可を行う。
【００２９】
ホーム加入者サーバＨＳＳは、サービス制御ネットワークにアクセスする移動端末のユーザ情報を扱うデータベースである。具体的には、プライベートユーザ識別子、パブリックユーザ識別子、セッション制御を行うＳ−ＣＳＣＦのアドレス、契約サービス情報、セキュリティ情報、イニシャルフィルタクライテリアの情報などを保持する。また、ＨＳＳは、Ｓ−ＣＳＣＦ、Ｉ−ＣＳＣＦ、ＡＳからの情報読み出し、書き込みを行う。
【００３０】
本発明においては、移動端末の在圏Ｃｅｌｌ  ＩＤなどの位置情報をＬＴＥ網からＩＭＳに対して送信する場合に、移動管理ノードＭＭＥが無線基地局ｅＮｏｄｅＢに対してベアラを確立する際の信号を用いて上記位置情報を取得し、ＩＭＳ側に通知する。これにより、ＩＭＳでは、最新の位置情報を取得することができる。
【００３１】
本発明の移動通信方法においては、図３に示すように、ＩＭＳ基盤の呼制御ノードからＱｏＳ情報がＥＰＣ網のポリシー制御ノードに指示される（Diameter  Base  ProtocolのＡＡＲ信号、ＡＡＡ信号）（ステップ（１））。次いで、ＥＰＣ網と移動端末ＵＥ及び無線基地局ｅＮｏｄｅＢとの間で、移動端末ＵＥ及び無線基地局ｅＮｏｄｅＢ間の無線ベアラが確立される（ステップ（２）、（３））。その後、ＥＰＣ網のポリシー制御ノードからＩＭＳ基盤の呼制御ノードにリソース確保完了通知が送られる（Diameter  Base  ProtocolのＲＡＲ信号、ＲＡＡ信号）（ステップ（４））。この方法において、ベアラ確立応答のステップ（３）及びリソース確保完了通知のステップ（４）で位置情報（移動端末の在圏Ｃｅｌｌ  ＩＤ、エリアコード、Tracking  Area  ＩＤ）を通知する。
【００３２】
例えば、ＥＰＣ網のポリシー制御ノード（ＰＣＲＦ）が保持する在圏Ｃｅｌｌ  ＩＤは登録時のＣｅｌｌ  ＩＤであり、発信した際にユーザが在圏しているＣｅｌｌ  ＩＤとは限らないことが考えられる。上記移動通信方法によれば、無線ベアラを確立する際に取得する在圏Ｃｅｌｌ  ＩＤであるので、発着信した際にユーザが在圏している最新のＣｅｌｌ  ＩＤである。これにより、ＩＭＳ基盤では、最新の位置情報を取得することができ、信頼性の高い位置情報をＩＭＳにて扱うことが可能となる。
【００３３】
すなわち、本発明の移動通信方法は、移動管理ノードを介して移動端末と無線基地局との間の無線ベアラを確立し、前記移動端末の位置情報を前記無線基地局から取得し、前記移動管理ノードを経由してポリシー制御ノードに送信し、前記ポリシー制御ノードから前記位置情報を呼制御ノードに送信することを特徴とする。
【００３４】
この場合において、Diameter  Base  ProtocolのＲＡＡ信号で送信された位置情報をDiameter  Base  ProtocolのＲＡＲ信号で前記呼制御ノードに送信することが好ましい。また、呼制御ノードから送信されたDiameter  Base  ProtocolのＡＡＲ信号に対するDiameter  Base  ProtocolのＡＡＡ信号を呼制御ノードに送信することが好ましい。さらに、呼制御ノードから前記ＡＡＲ信号と共に送信された前記位置情報の取得要求信号を、Diameter  Base  ProtocolのＲＡＲ信号をゲートウェイ装置に送信することが好ましい。また、本発明の移動通信方法においては、位置情報は、移動端末の在圏Ｃｅｌｌ  ＩＤ、エリアコード、Tracking  Area  ＩＤであることが好ましい。なお、エリアコードとは、無線基地局に設定される情報要素であり、無線基地局の設置場所（例えば、東京都千代田区）を示すものである。また、Tracking  Area  ＩＤは、ＥＰＣ網における移動管理エリア単位であり、移動管理ノードＭＭＥによって保持されている情報である。
【００３５】
本発明の移動通信方法は、以下のシーケンスを含む。
（１）ＰＭＩＰ（Proxy  Mobile  Internet  Protocol）シーケンス（Ｃｅｌｌ  ＩＤ取得）（図４参照）
（２）ＧＴＰ（GPRS(General  Packet  Radio  Service)  Tunneling  Protocol）シーケンス（Ｃｅｌｌ  ＩＤ取得）（図５参照）
（３）Ｐ−ＣＳＣＦから取得要求するＰＭＩＰシーケンス（Ｃｅｌｌ  ＩＤ取得）（図６参照）
（４）Ｐ−ＣＳＣＦから取得要求するＧＴＰシーケンス（Ｃｅｌｌ  ＩＤ取得）（図７参照）
（５）ＰＭＩＰシーケンス（エリアコード取得）（図８参照）
（６）Ｐ−ＣＳＣＦから取得要求するＰＭＩＰシーケンス（エリアコード取得）（図９参照）
（７）ＰＭＩＰシーケンス（Tracking  Area  ＩＤ取得）（図１０参照）
（８）Ｐ−ＣＳＣＦから取得要求するＰＭＩＰシーケンス（Tracking  Area  ＩＤ取得）（図１１参照）
以下、これらのシーケンスについて説明する。
【００３６】
（１）ＰＭＩＰシーケンス（Ｃｅｌｌ  ＩＤ取得）
このシーケンスにおいては、図４に示すように、まず、ＩＭＳレイヤでのセッション確立が行われる。次いで、呼制御ノードＰ−ＣＳＣＦはＬＴＥ網へのＱｏＳ確保を指示する。すなわち、呼制御ノードＰ−ＣＳＣＦは、ポリシー制御ノードＰＣＲＦと連携して、発信側、着信側の移動端末ＵＥの能力（使用可能なコーデックなど）と無線アクセス網（ここではＬＴＥ網）のリソース状況に応じてＱｏＳを設定する。具体的には、呼制御ノードＰ−ＣＳＣＦが、Diameter  Base  ProtocolのＡＡＲ（ＡＡ−Request）信号をポリシー制御ノードＰＣＲＦに送信し、ポリシー制御ノードＰＣＲＦにおいて、サービス情報を認証し、サービス情報を格納する。次いで、ポリシー制御ノードＰＣＲＦが、Diameter  Base  ProtocolのＡＡＡ信号（ＡＡ−Answer）を呼制御ノードＰ−ＣＳＣＦに送信する。
【００３７】
なお、図４は、呼制御ノードＰ−ＣＳＣＦからベアラ設定要求があった場合のシーケンスを示しているが、本発明は、移動端末からベアラ設定要求があった場合にも同様に適用することができる。図４において、以下に説明するシーケンスは、呼制御ノードＰ−ＣＳＣＦからのベアラ設定要求及び移動端末からのベアラ設定要求のいずれにも共通するシーケンスである。
【００３８】
ポリシー制御ノードＰＣＲＦにおいては、ＲＴＰ（Real-time  Transport  Protocol）／ＲＴＣＰ（RTP  Control  Protocol）用のＰＣＣ（Policy  and  Charging  Control）／ＱｏＳルールを決定する。そして、ポリシー制御ノードＰＣＲＦは、Diameter  Base  ProtocolのＲＡＲ（Re-Auth-Request）信号をゲートウェイ装置Ｓ−ＧＷに送信する。ゲートウェイ装置Ｓ−ＧＷでは、ＱｏＳルールをインストールする。
【００３９】
次いで、移動管理ノードＭＭＥを介して移動端末ＵＥと無線基地局ｅＮｏｄｅＢとの間の無線ベアラを確立する。まず、ゲートウェイ装置Ｓ−ＧＷから生成ベアラ要求信号（GTPv2_Create  Bearer  Request）を移動管理ノードＭＭＥに送信する。移動管理ノードＭＭＥは、Ｅ−ＲＡＢ（EPS-Radio  Access  Bearer）セットアップ要求信号（S1-AP_E-RAB  Setup  Request）を無線基地局ｅＮｏｄｅＢに送信する。無線基地局ｅＮｏｄｅＢは、無線リソース制御接続の再設定信号（RRC_RRC  Connection  Reconfiguration）を移動端末ＵＥに送信する。
【００４０】
次いで、移動端末ＵＥは、無線リソース制御接続の再設定完了信号（RRC_RRC  Connection  Reconfiguration  Complete）を無線基地局ｅＮｏｄｅＢに送信する。そして、無線基地局ｅＮｏｄｅＢは、Ｅ−ＲＡＢセットアップ要求信号に対する応答信号（S1-AP_E-RAB  Setup  Response）を移動管理ノードＭＭＥに送信する。また、移動端末ＵＥは、無線リソース制御の上りリンクの情報の信号（RRC  UL  Information  Transfer）を無線基地局ｅＮｏｄｅＢに送信する。そして、無線基地局ｅＮｏｄｅＢは、ＵＥ−ＭＭＥ間のモビリティ管理及びセッション管理の制御信号（S1-AP_Uplink  NAS(Non-Access  Stratum)  Transport）を移動管理ノードＭＭＥに送信する。無線基地局ｅＮｏｄｅＢは、この制御信号と共に、移動端末ＵＥ（ユーザ）が在圏しているセルのＣｅｌｌ−ＩＤを移動管理ノードＭＭＥに送信する。なお、本情報（在圏しているセルのＣｅｌｌ−ＩＤ）はS1-AP_E-RAB  Setup  Responseに設定されていてもよい。
【００４１】
次いで、移動管理ノードＭＭＥは、生成ベアラ応答信号（GTPv2_Create  Bearer  Response）及びＣｅｌl  ＩＤをゲートウェイ装置Ｓ−ＧＷに送信する。ゲートウェイ装置Ｓ−ＧＷは、Diameter  Base  ProtocolのＲＡＡ信号及びＣｅｌl  ＩＤをポリシー制御ノードＰＣＲＦに送信する。ポリシー制御ノードＰＣＲＦは、Diameter  Base  ProtocolのＲＡＲ信号をゲートウェイ装置Ｐ−ＧＷに送信する。ゲートウェイ装置Ｐ−ＧＷでは、ＰＣＣルールをインストールする。ゲートウェイ装置Ｐ−ＧＷは、Diameter  Base  ProtocolのＲＡＡ（Re-Auth-Answer）信号を呼制御ノードＰ−ＣＳＣＦに送信する。ポリシー制御ノードＰＣＲＦは、Diameter  Base  ProtocolのＲＡＲ信号及びＣｅｌl  ＩＤを呼制御ノードＰ−ＣＳＣＦに送信する。呼制御ノードＰ−ＣＳＣＦは、Diameter  Base  ProtocolのＲＡＡ信号をポリシー制御ノードＰＣＲＦに送信する。このようにして、移動端末ＵＥの位置情報（Ｃｅｌｌ  ＩＤ）を無線基地局ｅＮｏｄｅＢから取得し、移動管理ノードＭＭＥを経由してポリシー制御ノードＰＣＲＦに送信し、ポリシー制御ノードＰＣＲＦから位置情報（Ｃｅｌｌ  ＩＤ）を呼制御ノードＰ−ＣＳＣＦに送信する。
【００４２】
（２）ＧＴＰシーケンス（Ｃｅｌｌ  ＩＤ取得）
このシーケンスにおいては、図５に示すように、まず、ＩＭＳレイヤでのセッション確立が行われる。次いで、呼制御ノードＰ−ＣＳＣＦはＬＴＥ網へのＱｏＳ確保を指示する。すなわち、呼制御ノードＰ−ＣＳＣＦは、ポリシー制御ノードＰＣＲＦと連携して、発信側、着信側の移動端末ＵＥの能力（使用可能なコーデックなど）と無線アクセス網（ここではＬＴＥ網）のリソース状況に応じてＱｏＳを設定する。具体的には、呼制御ノードＰ−ＣＳＣＦが、Diameter  Base  Protocol（ピア・ツー・ピア型通信による認証、承認、課金のプロトコル）のＡＡＲ信号をポリシー制御ノードＰＣＲＦに送信し、ポリシー制御ノードＰＣＲＦにおいて、サービス情報を認証し、サービス情報を格納する。次いで、ポリシー制御ノードＰＣＲＦが、Diameter  Base  ProtocolのＡＡＡ信号を呼制御ノードＰ−ＣＳＣＦに送信する。
【００４３】
なお、図５は、呼制御ノードＰ−ＣＳＣＦからベアラ設定要求があった場合のシーケンスを示しているが、本発明は、移動端末からベアラ設定要求があった場合にも同様に適用することができる。図５において、以下に説明するシーケンスは、呼制御ノードＰ−ＣＳＣＦからのベアラ設定要求及び移動端末からのベアラ設定要求のいずれにも共通するシーケンスである。
【００４４】
ポリシー制御ノードＰＣＲＦにおいては、ＲＴＰ／ＲＴＣＰ用のＰＣＣ／ＱｏＳルールを決定する。そして、ポリシー制御ノードＰＣＲＦは、Diameter  Base  ProtocolのＲＡＲ信号をゲートウェイ装置Ｐ−ＧＷに送信する。ゲートウェイ装置Ｐ−ＧＷでは、ＱｏＳルールをインストールする。
【００４５】
次いで、移動管理ノードＭＭＥを介して移動端末ＵＥと無線基地局ｅＮｏｄｅＢとの間の無線ベアラを確立する。まず、ゲートウェイ装置Ｐ−ＧＷから生成ベアラ要求信号（GTPv2_Create  Bearer  Request）をゲートウェイ装置Ｓ−ＧＷに送信し、ゲートウェイ装置Ｓ−ＧＷが生成ベアラ要求信号（GTPv2_Create  Bearer  Request）を移動管理ノードＭＭＥに送信する。移動管理ノードＭＭＥは、Ｅ−ＲＡＢセットアップ要求信号（S1-AP_E-RAB  Setup  Request）を無線基地局ｅＮｏｄｅＢに送信する。無線基地局ｅＮｏｄｅＢは、無線リソース制御接続の再設定信号（RRC_RRC  Connection  Reconfiguration）を移動端末ＵＥに送信する。
【００４６】
次いで、移動端末ＵＥは、無線リソース制御接続の再設定完了信号（RRC_RRC  Connection  Reconfiguration  Complete）を無線基地局ｅＮｏｄｅＢに送信する。そして、無線基地局ｅＮｏｄｅＢは、Ｅ−ＲＡＢセットアップ要求信号に対する応答信号（S1-AP_E-RAB  Setup  Response）を移動管理ノードＭＭＥに送信する。また、移動端末ＵＥは、無線リソース制御の上りリンクの情報の信号（RRC  UL  Information  Transfer）を無線基地局ｅＮｏｄｅＢに送信する。そして、無線基地局ｅＮｏｄｅＢは、ＵＥ−ＭＭＥ間のモビリティ管理及びセッション管理の制御信号（S1-AP_Uplink  NAS  Transport）を移動管理ノードＭＭＥに送信する。無線基地局ｅＮｏｄｅＢは、この制御信号と共に、移動端末ＵＥ（ユーザ）が在圏しているセルのＣｅｌｌ−ＩＤを移動管理ノードＭＭＥに送信する。なお、本情報（在圏しているセルのＣｅｌｌ−ＩＤ）はS1-AP_E-RAB  Setup  Responseに設定されていてもよい。
【００４７】
次いで、移動管理ノードＭＭＥは、生成ベアラ応答信号（GTPv2_Create  Bearer  Response）及びＣｅｌl  ＩＤをゲートウェイ装置Ｓ−ＧＷに送信し、ゲートウェイ装置Ｓ−ＧＷが生成ベアラ応答信号（GTPv2_Create  Bearer  Response）をゲートウェイ装置Ｐ−ＧＷに送信する。ゲートウェイ装置Ｐ−ＧＷは、Diameter  Base  ProtocolのＲＡＡ信号及びＣｅｌl  ＩＤをポリシー制御ノードＰＣＲＦに送信する。ポリシー制御ノードＰＣＲＦは、Diameter  Base  ProtocolのＲＡＲ信号及びＣｅｌl  ＩＤを呼制御ノードＰ−ＣＳＣＦに送信する。呼制御ノードＰ−ＣＳＣＦは、Diameter  Base  ProtocolのＲＡＡ信号をポリシー制御ノードＰＣＲＦに送信する。このようにして、移動端末ＵＥの位置情報（Ｃｅｌｌ  ＩＤ）を無線基地局ｅＮｏｄｅＢから取得し、移動管理ノードＭＭＥを経由してポリシー制御ノードＰＣＲＦに送信し、ポリシー制御ノードＰＣＲＦから位置情報（Ｃｅｌｌ  ＩＤ）を呼制御ノードＰ−ＣＳＣＦに送信する。
【００４８】
（３）Ｐ−ＣＳＣＦから取得要求するＰＭＩＰシーケンス（Ｃｅｌｌ  ＩＤ取得）
このシーケンスにおいては、緊急通報の場合において、音声用ベアラを設定する前に、呼制御ノードＰ−ＣＳＣＦが移動端末ＵＥの位置情報を取得する場合について示している。図６に示すように、まず、移動端末ＵＥから緊急呼番号（SIP_INVITE）が呼制御ノードＰ−ＣＳＣＦに送信されると、呼制御ノードＰ−ＣＳＣＦにおいて、緊急呼であるかどうかが判定される。
【００４９】
次いで、呼制御ノードＰ−ＣＳＣＦが、Diameter  Base  ProtocolのＡＡＲ信号をポリシー制御ノードＰＣＲＦに送信する。このとき、呼制御ノードＰ−ＣＳＣＦは、Ｃｅｌｌ  ＩＤ取得の要求信号をポリシー制御ノードＰＣＲＦに送信する。ポリシー制御ノードＰＣＲＦは、Diameter  Base  ProtocolのＡＡＡ信号を呼制御ノードＰ−ＣＳＣＦに送信する。また、ポリシー制御ノードＰＣＲＦは、Diameter  Base  ProtocolのＲＡＲ信号及びＣｅｌｌ  ＩＤ取得の要求信号をゲートウェイ装置Ｓ−ＧＷに送信する。
【００５０】
次いで、移動管理ノードＭＭＥを介してベアラを確立する。まず、ゲートウェイ装置Ｓ−ＧＷから変更ベアラ要求信号（GTPv2_Modify  Bearer  Request）及びＣｅｌｌ  ＩＤ取得の要求信号を移動管理ノードＭＭＥに送信する。移動管理ノードＭＭＥは、位置報告要求信号（S1-AP_LOCATION  REPORTING  CONTROL）を無線基地局ｅＮｏｄｅＢに送信する。無線基地局ｅＮｏｄｅＢは、位置報告要求信号（S1-AP_LOCATION  REPORT）を移動管理ノードＭＭＥに送信する。無線基地局ｅＮｏｄｅＢは、この制御信号と共に、移動端末ＵＥ（ユーザ）が在圏しているセルのＣｅｌｌ−ＩＤを移動管理ノードＭＭＥに送信する。
【００５１】
次いで、移動管理ノードＭＭＥは、変更ベアラ応答信号（GTPv2_Modify  Bearer  Response）及びＣｅｌl  ＩＤをゲートウェイ装置Ｓ−ＧＷに送信する。ゲートウェイ装置Ｓ−ＧＷは、Diameter  Base  ProtocolのＲＡＡ信号及びＣｅｌl  ＩＤをポリシー制御ノードＰＣＲＦに送信する。ポリシー制御ノードＰＣＲＦは、Diameter  Base  ProtocolのＲＡＲ信号及びＣｅｌl  ＩＤを呼制御ノードＰ−ＣＳＣＦに送信する。呼制御ノードＰ−ＣＳＣＦは、Diameter  Base  ProtocolのＲＡＡ信号をポリシー制御ノードＰＣＲＦに送信する。このようにして、移動端末ＵＥの位置情報（Ｃｅｌｌ  ＩＤ）を無線基地局ｅＮｏｄｅＢから取得し、移動管理ノードＭＭＥを経由してポリシー制御ノードＰＣＲＦに送信し、ポリシー制御ノードＰＣＲＦから位置情報（Ｃｅｌｌ  ＩＤ）を呼制御ノードＰ−ＣＳＣＦに送信する。
【００５２】
図６においては、移動管理ノードＭＭＥと無線基地局ｅＮｏｄｅＢとの間で位置報告が行われる手順を含んでおり、その手順の中で位置情報（Ｃｅｌｌ  ＩＤ）を無線基地局から取得する場合について示しているが、本発明はこれに限定されず、位置報告手順を実施せず、移動管理ノードＭＭＥが保持している位置情報（Ｃｅｌｌ  ＩＤ）を移動管理ノードＭＭＥからポリシー制御ノードＰＣＲＦを経由して呼制御ノードＰ−ＣＳＣＦに送信しても良い。
【００５３】
（４）Ｐ−ＣＳＣＦから取得要求するＧＴＰシーケンス（Ｃｅｌｌ  ＩＤ取得）
このシーケンスにおいては、緊急通報の場合において、音声用ベアラを設定する前に、呼制御ノードＰ−ＣＳＣＦが移動端末ＵＥの位置情報を取得する場合について示している。図７に示すように、まず、移動端末ＵＥから緊急呼番号（SIP_INVITE）が呼制御ノードＰ−ＣＳＣＦに送信されると、呼制御ノードＰ−ＣＳＣＦにおいて、緊急呼であるかどうかが判定される。
【００５４】
次いで、呼制御ノードＰ−ＣＳＣＦが、Diameter  Base  ProtocolのＡＡＲ信号をポリシー制御ノードＰＣＲＦに送信する。このとき、呼制御ノードＰ−ＣＳＣＦは、Ｃｅｌｌ  ＩＤ取得の要求信号をポリシー制御ノードＰＣＲＦに送信する。ポリシー制御ノードＰＣＲＦは、Diameter  Base  ProtocolのＡＡＡ信号を呼制御ノードＰ−ＣＳＣＦに送信する。また、ポリシー制御ノードＰＣＲＦは、Diameter  Base  ProtocolのＲＡＲ信号及びＣｅｌｌ  ＩＤ取得の要求信号をゲートウェイ装置Ｐ−ＧＷに送信する。
【００５５】
次いで、移動管理ノードＭＭＥを介してベアラを確立する。まず、ゲートウェイ装置Ｐ−ＧＷから変更ベアラ要求信号（GTPv2_Modify  Bearer  Request）及びＣｅｌｌ  ＩＤ取得の要求信号をゲートウェイ装置Ｓ−ＧＷに送信し、ゲートウェイ装置Ｓ−ＧＷは、変更ベアラ要求信号（GTPv2_Modify  Bearer  Request）及びＣｅｌｌ  ＩＤ取得の要求信号を移動管理ノードＭＭＥに送信する。移動管理ノードＭＭＥは、位置報告要求信号（S1-AP_LOCATION  REPORTING  CONTROL）を無線基地局ｅＮｏｄｅＢに送信する。無線基地局ｅＮｏｄｅＢは、位置報告要求信号（S1-AP_LOCATION  REPORT）を移動管理ノードＭＭＥに送信する。無線基地局ｅＮｏｄｅＢは、この制御信号と共に、移動端末ＵＥ（ユーザ）が在圏しているセルのＣｅｌｌ−ＩＤを移動管理ノードＭＭＥに送信する。
【００５６】
次いで、移動管理ノードＭＭＥは、変更ベアラ応答信号（GTPv2_Modify  Bearer  Response）及びＣｅｌl  ＩＤをゲートウェイ装置Ｓ−ＧＷに送信し、ゲートウェイ装置Ｓ−ＧＷは、変更ベアラ応答信号（GTPv2_Modify  Bearer  Response）及びＣｅｌl  ＩＤをゲートウェイ装置Ｐ−ＧＷに送信する。ゲートウェイ装置Ｐ−ＧＷは、Diameter  Base  ProtocolのＲＡＡ信号及びＣｅｌl  ＩＤをポリシー制御ノードＰＣＲＦに送信する。ポリシー制御ノードＰＣＲＦは、Diameter  Base  ProtocolのＲＡＲ信号及びＣｅｌl  ＩＤを呼制御ノードＰ−ＣＳＣＦに送信する。呼制御ノードＰ−ＣＳＣＦは、Diameter  Base  ProtocolのＲＡＡ信号をポリシー制御ノードＰＣＲＦに送信する。このようにして、移動端末ＵＥの位置情報（Ｃｅｌｌ  ＩＤ）を無線基地局ｅＮｏｄｅＢから取得し、移動管理ノードＭＭＥを経由してポリシー制御ノードＰＣＲＦに送信し、ポリシー制御ノードＰＣＲＦから位置情報（Ｃｅｌｌ  ＩＤ）を呼制御ノードＰ−ＣＳＣＦに送信する。
【００５７】
図７においては、移動管理ノードＭＭＥと無線基地局ｅＮｏｄｅＢとの間で位置報告が行われる手順を含んでおり、その手順の中で位置情報（Ｃｅｌｌ  ＩＤ）を無線基地局から取得する場合について示しているが、本発明はこれに限定されず、位置報告手順を実施せず、移動管理ノードＭＭＥが保持している位置情報（Ｃｅｌｌ  ＩＤ）を移動管理ノードＭＭＥからポリシー制御ノードＰＣＲＦを経由して呼制御ノードＰ−ＣＳＣＦに送信しても良い。
【００５８】
上記（３）、（４）の移動通信方法によれば、ＱｏＳ設定の手順を経ることなく迅速にＩＭＳ基盤に位置情報を通知することができるので、ＩＭＳ基盤において、信頼性の高い位置情報を迅速に扱うことが可能となる。
【００５９】
また、上記（３）、（４）の移動通信方法においては、移動端末ＵＥから緊急呼番号（SIP_INVITE）が呼制御ノードＥ−ＣＳＣＦに送信され、呼制御ノードＥ−ＣＳＣＦで緊急呼の判定を行い、呼制御ノードＰ−ＣＳＣＦが、Diameter  Base  ProtocolのＡＡＲ信号及びＣｅｌｌ  ＩＤ取得の要求信号を直接ポリシー制御ノードＰＣＲＦに送信しても良く、移動端末ＵＥから緊急呼番号（SIP_INVITE）が呼制御ノードＥ−ＣＳＣＦに送信され、呼制御ノードＥ−ＣＳＣＦで緊急呼の判定を行い、呼制御ノードＥ−ＣＳＣＦが、Diameter  Base  ProtocolのＡＡＲ信号及びＣｅｌｌ  ＩＤ取得の要求信号を呼制御ノードＰ−ＣＳＣＦを介してポリシー制御ノードＰＣＲＦに送信しても良い。
【００６０】
（５）ＰＭＩＰシーケンス（エリアコード取得）
このシーケンスにおいては、図８に示すように、まず、ＩＭＳレイヤでのセッション確立が行われる。次いで、呼制御ノードＰ−ＣＳＣＦはＬＴＥ網へのＱｏＳ確保を指示する。すなわち、呼制御ノードＰ−ＣＳＣＦは、ポリシー制御ノードＰＣＲＦと連携して、発信側、着信側の移動端末ＵＥの能力（使用可能なコーデックなど）と無線アクセス網（ここではＬＴＥ網）のリソース状況に応じてＱｏＳを設定する。具体的には、呼制御ノードＰ−ＣＳＣＦが、Diameter  Base  ProtocolのＡＡＲ信号をポリシー制御ノードＰＣＲＦに送信し、ポリシー制御ノードＰＣＲＦにおいて、サービス情報を認証し、サービス情報を格納する。次いで、ポリシー制御ノードＰＣＲＦが、Diameter  Base  ProtocolのＡＡＡ信号を呼制御ノードＰ−ＣＳＣＦに送信する。
【００６１】
なお、図８は、呼制御ノードＰ−ＣＳＣＦからベアラ設定要求があった場合のシーケンスを示しているが、本発明は、移動端末からベアラ設定要求があった場合にも同様に適用することができる。図８において、以下に説明するシーケンスは、呼制御ノードＰ−ＣＳＣＦからのベアラ設定要求及び移動端末からのベアラ設定要求のいずれにも共通するシーケンスである。
【００６２】
ポリシー制御ノードＰＣＲＦにおいては、ＲＴＰ／ＲＴＣＰ用のＰＣＣ／ＱｏＳルールを決定する。そして、ポリシー制御ノードＰＣＲＦは、Diameter  Base  ProtocolのＲＡＲ信号をゲートウェイ装置Ｓ−ＧＷに送信する。ゲートウェイ装置Ｓ−ＧＷでは、ＱｏＳルールをインストールする。
【００６３】
次いで、移動管理ノードＭＭＥを介して移動端末ＵＥと無線基地局ｅＮｏｄｅＢとの間の無線ベアラを確立する。まず、ゲートウェイ装置Ｓ−ＧＷから生成ベアラ要求信号（GTPv2_Create  Bearer  Request）を移動管理ノードＭＭＥに送信する。移動管理ノードＭＭＥは、Ｅ−ＲＡＢセットアップ要求信号（S1-AP_E-RAB  Setup  Request）を無線基地局ｅＮｏｄｅＢに送信する。無線基地局ｅＮｏｄｅＢは、無線リソース制御接続の再設定信号（RRC_RRC  Connection  Reconfiguration）を移動端末ＵＥに送信する。
【００６４】
次いで、移動端末ＵＥは、無線リソース制御接続の再設定完了信号（RRC_RRC  Connection  Reconfiguration  Complete）を無線基地局ｅＮｏｄｅＢに送信する。そして、無線基地局ｅＮｏｄｅＢは、Ｅ−ＲＡＢセットアップ要求信号に対する応答信号（S1-AP_E-RAB  Setup  Response）を移動管理ノードＭＭＥに送信する。無線基地局ｅＮｏｄｅＢは、この制御信号と共に、エリアコードを移動管理ノードＭＭＥに送信する（無線基地局ｅＮｏｄｅＢがエリアコードを保持している場合には、ベアラ設定時に、移動管理ノードＭＭＥにエリアコードを通知するように設定されている）。
【００６５】
また、移動端末ＵＥは、無線リソース制御の上りリンクの情報の信号（RRC  UL  Information  Transfer）を無線基地局ｅＮｏｄｅＢに送信する。そして、無線基地局ｅＮｏｄｅＢは、ＵＥ−ＭＭＥ間のモビリティ管理及びセッション管理の制御信号（S1-AP_Uplink  NAS  Transport）を移動管理ノードＭＭＥに送信する。無線基地局ｅＮｏｄｅＢは、応答信号（S1-AP_E-RAB  Setup  Response）の代わりに、この制御信号と共に、エリアコードを移動管理ノードＭＭＥに送信しても良い。
【００６６】
次いで、移動管理ノードＭＭＥは、生成ベアラ応答信号（GTPv2_Create  Bearer  Response）及びエリアコードをゲートウェイ装置Ｓ−ＧＷに送信する。ゲートウェイ装置Ｓ−ＧＷは、Diameter  Base  ProtocolのＲＡＡ信号及びエリアコードをポリシー制御ノードＰＣＲＦに送信する。ポリシー制御ノードＰＣＲＦは、Diameter  Base  ProtocolのＲＡＲ信号をゲートウェイ装置Ｐ−ＧＷに送信する。ゲートウェイ装置Ｐ−ＧＷでは、ＰＣＣルールをインストールする。ゲートウェイ装置Ｐ−ＧＷは、Diameter  Base  ProtocolのＲＡＡ（Re-Auth-Answer）信号をポリシー制御ノードＰＣＲＦに送信する。ポリシー制御ノードＰＣＲＦは、Diameter  Base  ProtocolのＲＡＲ信号及びエリアコードを呼制御ノードＰ−ＣＳＣＦに送信する。呼制御ノードＰ−ＣＳＣＦは、Diameter  Base  ProtocolのＲＡＡ信号をポリシー制御ノードＰＣＲＦに送信する。このようにして、移動端末ＵＥの位置情報（エリアコード）を無線基地局ｅＮｏｄｅＢから取得し、移動管理ノードＭＭＥを経由してポリシー制御ノードＰＣＲＦに送信し、ポリシー制御ノードＰＣＲＦから位置情報（エリアコード）を呼制御ノードＰ−ＣＳＣＦに送信する。
【００６７】
図８においては、ＰＭＩＰシーケンスを示しているが、本発明においては、ＧＴＰシーケンスにおいて、同様に、移動端末ＵＥの位置情報（エリアコード）を無線基地局ｅＮｏｄｅＢから取得し、移動管理ノードＭＭＥを経由してポリシー制御ノードＰＣＲＦに送信し、ポリシー制御ノードＰＣＲＦから位置情報（エリアコード）を呼制御ノードＰ−ＣＳＣＦに送信することも可能である。
【００６８】
（６）Ｐ−ＣＳＣＦから取得要求するＰＭＩＰシーケンス（エリアコード取得）
このシーケンスにおいては、緊急通報の場合において、音声用ベアラを設定する前に、呼制御ノードＰ−ＣＳＣＦが移動端末ＵＥの位置情報を取得する場合について示している。図９に示すように、まず、移動端末ＵＥから緊急呼番号（SIP_INVITE）が呼制御ノードＰ−ＣＳＣＦに送信されると、呼制御ノードＰ−ＣＳＣＦにおいて、緊急呼であるかどうかが判定される。
【００６９】
次いで、呼制御ノードＰ−ＣＳＣＦが、Diameter  Base  ProtocolのＡＡＲ信号をポリシー制御ノードＰＣＲＦに送信する。このとき、呼制御ノードＰ−ＣＳＣＦは、エリアコード取得の要求信号をポリシー制御ノードＰＣＲＦに送信する。ポリシー制御ノードＰＣＲＦは、Diameter  Base  ProtocolのＡＡＡ信号を呼制御ノードＰ−ＣＳＣＦに送信する。また、ポリシー制御ノードＰＣＲＦは、Diameter  Base  ProtocolのＲＡＲ信号及びエリアコード取得の要求信号をゲートウェイ装置Ｓ−ＧＷに送信する。
【００７０】
次いで、移動管理ノードＭＭＥを介してベアラを確立する。まず、ゲートウェイ装置Ｓ−ＧＷから変更ベアラ要求信号（GTPv2_Modify  Bearer  Request）及びエリアコード取得の要求信号を移動管理ノードＭＭＥに送信する。移動管理ノードＭＭＥは、位置報告要求信号（S1-AP_LOCATION  REPORTING  CONTROL）を無線基地局ｅＮｏｄｅＢに送信する。無線基地局ｅＮｏｄｅＢは、位置報告要求信号（S1-AP_LOCATION  REPORT）を移動管理ノードＭＭＥに送信する。無線基地局ｅＮｏｄｅＢは、この制御信号と共に、エリアコードを移動管理ノードＭＭＥに送信する。なお、無線基地局ｅＮｏｄｅＢがエリアコードを保持している場合、移動管理ノードＭＭＥへ通知するように設定されていても良く、移動管理ノードＭＭＥより「エリアコード取得要求」を設定し、この取得要求に対する応答の手順をとっても良い。
【００７１】
次いで、移動管理ノードＭＭＥは、変更ベアラ応答信号（GTPv2_Modify  Bearer  Response）及びエリアコードをゲートウェイ装置Ｓ−ＧＷに送信する。ゲートウェイ装置Ｓ−ＧＷは、Diameter  Base  ProtocolのＲＡＡ信号及びエリアコードをポリシー制御ノードＰＣＲＦに送信する。ポリシー制御ノードＰＣＲＦは、Diameter  Base  ProtocolのＲＡＲ信号及びエリアコードを呼制御ノードＰ−ＣＳＣＦに送信する。呼制御ノードＰ−ＣＳＣＦは、Diameter  Base  ProtocolのＲＡＡ信号をポリシー制御ノードＰＣＲＦに送信する。このようにして、移動端末ＵＥの位置情報（エリアコード）を無線基地局ｅＮｏｄｅＢから取得し、移動管理ノードＭＭＥを経由してポリシー制御ノードＰＣＲＦに送信し、ポリシー制御ノードＰＣＲＦから位置情報（エリアコード）を呼制御ノードＰ−ＣＳＣＦに送信する。
【００７２】
図９においては、移動管理ノードＭＭＥと無線基地局ｅＮｏｄｅＢとの間で位置報告が行われる手順を含んでおり、その手順の中で位置情報（エリアコード）を無線基地局から取得する場合について示しているが、本発明はこれに限定されず、位置報告手順を実施せず、移動管理ノードＭＭＥが保持している位置情報（エリアコード）を移動管理ノードＭＭＥからポリシー制御ノードＰＣＲＦを経由して呼制御ノードＰ−ＣＳＣＦに送信しても良い。
【００７３】
また、上記（６）の移動通信方法においては、移動端末ＵＥから緊急呼番号（SIP_INVITE）が呼制御ノードＥ−ＣＳＣＦに送信され、呼制御ノードＥ−ＣＳＣＦで緊急呼の判定を行い、呼制御ノードＰ−ＣＳＣＦが、Diameter  Base  ProtocolのＡＡＲ信号及びエリアコード取得の要求信号を直接ポリシー制御ノードＰＣＲＦに送信しても良く、移動端末ＵＥから緊急呼番号（SIP_INVITE）が呼制御ノードＥ−ＣＳＣＦに送信され、呼制御ノードＥ−ＣＳＣＦで緊急呼の判定を行い、呼制御ノードＥ−ＣＳＣＦが、Diameter  Base  ProtocolのＡＡＲ信号及びエリアコード取得の要求信号を呼制御ノードＰ−ＣＳＣＦを介してポリシー制御ノードＰＣＲＦに送信しても良い。
【００７４】
E-UTRAN  Global  Cell  IDは、ＭＣＣ、ＭＮＣ、ＥＣＩで構成されており、ＥＣＩは、マクロ基地局の場合、ｅＮｏｄｅＢ  ＩＤ（２０ビット）＋Ｃｅｌｌ  ＩＤ（８ビット）であり、フェムト基地局の場合、ｅＮｏｄｅＢ  ＩＤ（２８ビット）となる。Ｅ−ＣＧＩは運用により、物理エリアとのマッピングが変更となる可能性がある。そのため、緊急通報台を選択するＥ−ＣＳＣＦにおける“Ｅ−ＣＧＩ−物理エリア“マッピングデータベースを、Ｅ−ＣＧＩの変更に伴って変更する必要がある。Ｅ−ＣＳＣＦがエリアコードを取得できれば、上述のようなデータベース変更を実施する必要がなくなり、運用コストの低減が可能となる。
【００７５】
図９においては、ＰＭＩＰシーケンスを示しているが、本発明においては、ＧＴＰシーケンスにおいて、同様に、移動端末ＵＥの位置情報（エリアコード）を無線基地局ｅＮｏｄｅＢから取得し、移動管理ノードＭＭＥを経由してポリシー制御ノードＰＣＲＦに送信し、ポリシー制御ノードＰＣＲＦから位置情報（エリアコード）を呼制御ノードＰ−ＣＳＣＦに送信することも可能である。
【００７６】
（７）ＰＭＩＰシーケンス（Tracking  Area  ＩＤ取得）
このシーケンスにおいては、図１０に示すように、まず、ＩＭＳレイヤでのセッション確立が行われる。次いで、呼制御ノードＰ−ＣＳＣＦはＬＴＥ網へのＱｏＳ確保を指示する。すなわち、呼制御ノードＰ−ＣＳＣＦは、ポリシー制御ノードＰＣＲＦと連携して、発信側、着信側の移動端末ＵＥの能力（使用可能なコーデックなど）と無線アクセス網（ここではＬＴＥ網）のリソース状況に応じてＱｏＳを設定する。具体的には、呼制御ノードＰ−ＣＳＣＦが、Diameter  Base  ProtocolのＡＡＲ信号をポリシー制御ノードＰＣＲＦに送信し、ポリシー制御ノードＰＣＲＦにおいて、サービス情報を認証し、サービス情報を格納する。次いで、ポリシー制御ノードＰＣＲＦが、Diameter  Base  ProtocolのＡＡＡ信号を呼制御ノードＰ−ＣＳＣＦに送信する。
【００７７】
なお、図１０は、呼制御ノードＰ−ＣＳＣＦからベアラ設定要求があった場合のシーケンスを示しているが、本発明は、移動端末からベアラ設定要求があった場合にも同様に適用することができる。図１０において、以下に説明するシーケンスは、呼制御ノードＰ−ＣＳＣＦからのベアラ設定要求及び移動端末からのベアラ設定要求のいずれにも共通するシーケンスである。
【００７８】
ポリシー制御ノードＰＣＲＦにおいては、ＲＴＰ／ＲＴＣＰ用のＰＣＣ／ＱｏＳルールを決定する。そして、ポリシー制御ノードＰＣＲＦは、Diameter  Base  ProtocolのＲＡＲ信号をゲートウェイ装置Ｓ−ＧＷに送信する。ゲートウェイ装置Ｓ−ＧＷでは、ＱｏＳルールをインストールする。
【００７９】
次いで、移動管理ノードＭＭＥを介して移動端末ＵＥと無線基地局ｅＮｏｄｅＢとの間の無線ベアラを確立する。まず、ゲートウェイ装置Ｓ−ＧＷから生成ベアラ要求信号（GTPv2_Create  Bearer  Request）を移動管理ノードＭＭＥに送信する。移動管理ノードＭＭＥは、Ｅ−ＲＡＢセットアップ要求信号（S1-AP_E-RAB  Setup  Request）を無線基地局ｅＮｏｄｅＢに送信する。無線基地局ｅＮｏｄｅＢは、無線リソース制御接続の再設定信号（RRC_RRC  Connection  Reconfiguration）を移動端末ＵＥに送信する。
【００８０】
次いで、移動端末ＵＥは、無線リソース制御接続の再設定完了信号（RRC_RRC  Connection  Reconfiguration  Complete）を無線基地局ｅＮｏｄｅＢに送信する。そして、無線基地局ｅＮｏｄｅＢは、Ｅ−ＲＡＢセットアップ要求信号に対する応答信号（S1-AP_E-RAB  Setup  Response）を移動管理ノードＭＭＥに送信する。
【００８１】
また、移動端末ＵＥは、無線リソース制御の上りリンクの情報の信号（RRC  UL  Information  Transfer）を無線基地局ｅＮｏｄｅＢに送信する。そして、無線基地局ｅＮｏｄｅＢは、ＵＥ−ＭＭＥ間のモビリティ管理及びセッション管理の制御信号（S1-AP_Uplink  NAS  Transport）を移動管理ノードＭＭＥに送信する。
【００８２】
次いで、移動管理ノードＭＭＥは、生成ベアラ応答信号（GTPv2_Create  Bearer  Response）及びTracking  Area  ＩＤをゲートウェイ装置Ｓ−ＧＷに送信する。ゲートウェイ装置Ｓ−ＧＷは、Diameter  Base  ProtocolのＲＡＡ信号及びTracking  Area  ＩＤをポリシー制御ノードＰＣＲＦに送信する。ポリシー制御ノードＰＣＲＦは、Diameter  Base  ProtocolのＲＡＲ信号をゲートウェイ装置Ｐ−ＧＷに送信する。ゲートウェイ装置Ｐ−ＧＷでは、ＱｏＳルールをインストールする。ゲートウェイ装置Ｐ−ＧＷは、Diameter  Base  ProtocolのＲＡＡ（Re-Auth-Answer）信号を呼制御ノードＰ−ＣＳＣＦに送信する。ポリシー制御ノードＰＣＲＦは、Diameter  Base  ProtocolのＲＡＲ信号及びTracking  Area  ＩＤを呼制御ノードＰ−ＣＳＣＦに送信する。呼制御ノードＰ−ＣＳＣＦは、Diameter  Base  ProtocolのＲＡＡ信号をポリシー制御ノードＰＣＲＦに送信する。このようにして、移動端末ＵＥの位置情報（Tracking  Area  ＩＤ）を移動管理ノードＭＭＥから取得してポリシー制御ノードＰＣＲＦに送信し、ポリシー制御ノードＰＣＲＦから位置情報（Tracking  Area  ＩＤ）を呼制御ノードＰ−ＣＳＣＦに送信する。
【００８３】
図１０においては、ＰＭＩＰシーケンスを示しているが、本発明においては、ＧＴＰシーケンスにおいて、同様に、移動端末ＵＥの位置情報（Tracking  Area  ＩＤ）を移動管理ノードＭＭＥから取得してポリシー制御ノードＰＣＲＦに送信し、ポリシー制御ノードＰＣＲＦから位置情報（Tracking  Area  ＩＤ）を呼制御ノードＰ−ＣＳＣＦに送信することも可能である。
【００８４】
（８）Ｐ−ＣＳＣＦから取得要求するＰＭＩＰシーケンス（Tracking  Area  ＩＤ取得）
このシーケンスにおいては、緊急通報の場合において、音声用ベアラを設定する前に、呼制御ノードＰ−ＣＳＣＦが移動端末ＵＥの位置情報を取得する場合について示している。図１１に示すように、まず、移動端末ＵＥから緊急呼番号（SIP_INVITE）が呼制御ノードＰ−ＣＳＣＦに送信されると、呼制御ノードＰ−ＣＳＣＦにおいて、緊急呼であるかどうかが判定される。
【００８５】
次いで、呼制御ノードＰ−ＣＳＣＦが、Diameter  Base  ProtocolのＡＡＲ信号をポリシー制御ノードＰＣＲＦに送信する。このとき、呼制御ノードＰ−ＣＳＣＦは、Tracking  Area  ＩＤ取得の要求信号をポリシー制御ノードＰＣＲＦに送信する。ポリシー制御ノードＰＣＲＦは、Diameter  Base  ProtocolのＡＡＡ信号を呼制御ノードＰ−ＣＳＣＦに送信する。また、ポリシー制御ノードＰＣＲＦは、Diameter  Base  ProtocolのＲＡＲ信号及びTracking  Area  ＩＤ取得の要求信号をゲートウェイ装置Ｓ−ＧＷに送信する。
【００８６】
次いで、移動管理ノードＭＭＥを介してベアラを確立する。まず、ゲートウェイ装置Ｓ−ＧＷから変更ベアラ要求信号（GTPv2_Modify  Bearer  Request）及びTracking  Area  ＩＤ取得の要求信号を移動管理ノードＭＭＥに送信する。移動管理ノードＭＭＥは、位置報告要求信号（S1-AP_LOCATION  REPORTING  CONTROL）を無線基地局ｅＮｏｄｅＢに送信する。無線基地局ｅＮｏｄｅＢは、位置報告要求信号（S1-AP_LOCATION  REPORT）を移動管理ノードＭＭＥに送信する。
【００８７】
次いで、移動管理ノードＭＭＥは、変更ベアラ応答信号（GTPv2_Modify  Bearer  Response）及びTracking  Area  ＩＤをゲートウェイ装置Ｓ−ＧＷに送信する。ゲートウェイ装置Ｓ−ＧＷは、Diameter  Base  ProtocolのＲＡＡ信号及びTracking  Area  ＩＤをポリシー制御ノードＰＣＲＦに送信する。ポリシー制御ノードＰＣＲＦは、Diameter  Base  ProtocolのＲＡＲ信号及びエリアコードを呼制御ノードＰ−ＣＳＣＦに送信する。呼制御ノードＰ−ＣＳＣＦは、Diameter  Base  ProtocolのＲＡＡ信号をポリシー制御ノードＰＣＲＦに送信する。このようにして、移動端末ＵＥの位置情報（Tracking  Area  ＩＤ）を移動管理ノードＭＭＥから取得してポリシー制御ノードＰＣＲＦに送信し、ポリシー制御ノードＰＣＲＦから位置情報（Tracking  Area  ＩＤ）を呼制御ノードＰ−ＣＳＣＦに送信する。
【００８８】
また、上記（６）の移動通信方法においては、移動端末ＵＥから緊急呼番号（SIP_INVITE）が呼制御ノードＥ−ＣＳＣＦに送信され、呼制御ノードＥ−ＣＳＣＦで緊急呼の判定を行い、呼制御ノードＰ−ＣＳＣＦが、Diameter  Base  ProtocolのＡＡＲ信号及びTracking  Area  ＩＤ取得の要求信号を直接ポリシー制御ノードＰＣＲＦに送信しても良く、移動端末ＵＥから緊急呼番号（SIP_INVITE）が呼制御ノードＥ−ＣＳＣＦに送信され、呼制御ノードＥ−ＣＳＣＦで緊急呼の判定を行い、呼制御ノードＥ−ＣＳＣＦが、Diameter  Base  ProtocolのＡＡＲ信号及びTracking  Area  ＩＤ取得の要求信号を呼制御ノードＰ−ＣＳＣＦを介してポリシー制御ノードＰＣＲＦに送信しても良い。
【００８９】
図１１においては、ＰＭＩＰシーケンスを示しているが、本発明においては、ＧＴＰシーケンスにおいて、同様に、移動端末ＵＥの位置情報（Tracking  Area  ＩＤ）を移動管理ノードＭＭＥから取得してポリシー制御ノードＰＣＲＦに送信し、ポリシー制御ノードＰＣＲＦから位置情報（Tracking  Area  ＩＤ）を呼制御ノードＰ−ＣＳＣＦに送信することも可能である。
【００９０】
上述の実施の形態を用いて本発明について詳細に説明したが、当業者にとっては、本発明が本明細書中に説明した実施の形態に限定されるものではないということは明らかである。例えば、上記実施の形態において、シーケンス中の信号名は一例であり、これに限定されず、別の信号名であっても良い。また、本発明は、特許請求の範囲の記載により定まる本発明の趣旨及び範囲を逸脱することなく修正及び更新態様として実施することができる。したがって、本明細書の記載は、例示説明を目的とするものであり、本発明に対して何ら制限的な意味を有するものではない。
【符号の説明】
【００９１】
Ｓ−ＣＳＣＦ，Ｐ−ＣＳＣＦ，Ｉ−ＣＳＣＦ，Ｅ−ＣＳＣＦ  呼制御ノード
ＰＣＲＦ  ポリシー制御ノード
Ｐ−ＧＷ，Ｓ−ＧＷ  ゲートウェイ装置
ＭＭＥ  移動管理ノード
ＡＳ  アプリケーションサーバ
ＨＳＳ  ホーム加入者サーバ
ｅＮｏｄｅＢ  無線基地局
ＵＥ  移動端末
【図１】
2012044556.tif 000003
【図２】
2012044556.tif 000004
【図３】
2012044556.tif 000005
【図４】
2012044556.tif 000006
【図５】
2012044556.tif 000007
【図６】
2012044556.tif 000008
【図７】
2012044556.tif 000009
【図８】
2012044556.tif 000010
【図９】
2012044556.tif 000011
【図１０】
2012044556.tif 000012
【図１１】
2012044556.tif 000013